【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
少なくとも１つのラジカルを少なくとも１つの粒子と反応させることを含む、少なくとも１つの有機基が付着している粒子の製造方法であって、前記ラジカルを、ラジカルのラジカル捕獲能力を有する１又は複数の粒子の存在下において、少なくとも１つの有機ハロゲン化化合物と少なくとも１つの遷移金属化合物との相互作用から発生させる、少なくとも１つの有機基が付着している粒子の製造方法。
【請求項２】
前記粒子が炭素生成物である、請求項１に記載の方法。
【請求項３】
前記粒子が、少なくとも１つの有機基が付着しているシリカである、請求項１に記載の方法。
【請求項４】
前記粒子がシリカ被覆カーボンブラックであり、任意選択でこのシリカ被覆カーボンブラックに少なくとも１つの有機基が付着している、請求項１に記載の方法。
【請求項５】
前記粒子が、炭素の相及び金属含有化学種の相を含む凝集体であり、任意選択でこの凝集体に少なくとも１つの有機基が付着している、請求項１に記載の方法。
【請求項６】
前記粒子が、少なくとも１つの有機基が付着している金属酸化物又は金属の炭酸塩である、請求項１に記載の方法。
【請求項７】
前記粒子が有色顔料である、請求項１に記載の方法。
【請求項８】
請求項１に記載の方法で得られる、少なくとも１つの有機基が付着している粒子。
【請求項９】
請求項２に記載の方法で得られる、少なくとも１つの有機基が付着している粒子。
【請求項１０】
請求項３に記載の方法で得られる、少なくとも１つの有機基が付着している粒子。
【請求項１１】
請求項４に記載の方法で得られる、少なくとも１つの有機基が付着している粒子。
【請求項１２】
請求項５に記載の方法で得られる、少なくとも１つの有機基が付着している粒子。
【請求項１３】
請求項６に記載の方法で得られる、少なくとも１つの有機基が付着している粒子。
【請求項１４】
請求項７に記載の方法で得られる、少なくとも１つの有機基が付着している粒子。
【手続補正２】
【補正対象書類名】明細書
【補正対象項目名】００６２
【補正方法】変更
【補正の内容】
【００６２】
本発明の他の実施形態は、本明細書の考察及び本明細書中に開示した本発明の実際から当業技術者には明らかなはずである。本明細書及び実施例は単に例示とみなされ、本発明の真の範囲及び精神は特許請求の範囲及びそれらの均等物によって示されるものである。
本発明の態様としては下記の態様を挙げることができる：
（１）  少なくとも１つのラジカルを少なくとも１つの粒子と反応させることを含む、少なくとも１つの有機基が付着している粒子の製造方法であって、前記ラジカルを、ラジカルのラジカル捕獲能力を有する１又は複数の粒子の存在下において、少なくとも１つの有機ハロゲン化化合物と少なくとも１つの遷移金属化合物との相互作用から発生させる、少なくとも１つの有機基が付着している粒子の製造方法。
（２）  前記粒子が炭素生成物である、上記（１）項に記載の方法。
（３）  前記炭素生成物がカーボンブラックである、上記（２）項に記載の方法。
（４）  前記炭素生成物が、カーボンブラック、炭素繊維、炭素板、活性炭素、ガラス質炭素、ナノチューブ、木炭、活性炭、黒鉛、又はこれらの組合せである、上記（２）項に記載の方法。
（５）  前記粒子が、少なくとも１つの有機基が付着しているシリカである、上記（１）項に記載の方法。
（６）  前記粒子がシリカ被覆カーボンブラックであり、任意選択でこのシリカ被覆カーボンブラックに少なくとも１つの有機基が付着している、上記（１）項に記載の方法。
（７）  前記粒子が、炭素の相及び金属含有化学種の相を含む凝集体であり、任意選択でこの凝集体に少なくとも１つの有機基が付着している、上記（１）項に記載の方法。
（８）  前記粒子が、少なくとも１つの有機基が付着している金属酸化物又は金属の炭酸塩である、上記（１）項に記載の方法。
（９）  前記金属酸化物又は金属の炭酸塩が、酸化アルミニウム、酸化亜鉛、二酸化チタン、酸化マグネシウム、又は炭酸カルシウムである、上記（８）項に記載の方法。
（１０）  前記粒子が有色顔料である、上記（１）項に記載の方法。
（１１）  前記有機ハロゲン化化合物が式ＲＸを有し、Ｒが有機基であり、且つＸがＢｒ、Ｃｌ、Ｆ、又はＩである、上記（１）項に記載の方法。
（１２）  前記Ｒが、式ＡｒＣＨ２、ＡｒＣＨＲ′、ＡｒＣＲ′２、Ａｒ２ＣＨ、又はＡｒ２ＣＲ′のベンジル型の基であり、Ａｒがアリール基であり、且つＲ′が有機基である、上記（１１）項に記載の方法。
（１３）  前記Ｒがアルキルである、上記（１１）項に記載の方法。
（１４）  前記Ｒがアリールである、上記（１１）項に記載の方法。
（１５）  前記Ｒがアルキルアリール又はアリールアルキルである、上記（１１）項に記載の方法。
（１６）  前記有機ハロゲン化化合物が、式ＲＳＯ２Ｘ、ＲＳＸ、ＲＮＸ２、Ｒ２ＮＸ、ＲＰ（Ｏ）Ｘ２、Ｒ２Ｐ（Ｏ）Ｘ、Ｐ（Ｏ）Ｘ３、Ｒ（ＲＯ）Ｐ（Ｏ）Ｘ、（ＲＯ）２Ｐ（Ｏ）Ｘ、Ｒ３ＳｉＸ、Ｒ２ＳｉＸ２、Ｒ２ＳｉＹＸ、ＲＳｉＸ３、ＲＳｉＹＸ２、ＲＳｉＹ２Ｘ、ＲＳｅＸ、Ｒ２ＳｅＸ２、Ｒ３ＳｎＸ、Ｒ２ＳｎＸ２、ＲＳｎＸ３であり、Ｒが水素、アルキル基、又はアリール基であり、ＸがＢｒ、Ｃｌ、Ｆ、又はＩであり、Ｙがアルコキシ又はアリールオキシ基である、上記（１）項に記載の方法。
（１７）  前記有機ハロゲン化化合物が、脂肪族基、環状有機基、又は脂肪族部分と環状部分とを有する有機基である有機部分を有する、上記（１）項に記載の方法。
（１８）  前記遷移金属化合物中の遷移金属が、低酸化状態を高酸化状態に変わる能力を有する、上記（１）項に記載の方法。
（１９）  前記遷移金属化合物が、Ｃｕ（Ｉ）、Ｆｅ（ＩＩ）、Ｒｕ（Ｉ）、Ｒｕ（ＩＩ）、Ｎｉ（ＩＩ）、Ｐｄ（ＩＩ）、Ｃｏ（ＩＩ）、Ｃｒ（ＩＩ）、Ｃｕ（０）、Ｎｉ（０）、Ｆｅ（０）、Ｐｄ（０）、Ｐｄ（ＩＩ）、Ｒｈ（Ｉ）、Ｒｈ（ＩＩ）、又はＣｒ（ＩＩＩ）から選択される金属を有する、上記（１）項に記載の方法。
（２０）  前記遷移金属化合物が、Ｃｕ（Ｉ）又はＦｅ（ＩＩ）を有する、上記（１）項に記載の方法。
（２１）  前記遷移金属化合物が、前記粒子の表面積に対して約０．０１ミリモル／ｍ２〜約５ミリモル／ｍ２の量で存在し、且つ前記有機ハロゲン化化合物が、前記粒子の表面積に対して約０．０１ミリモル／ｍ２〜約５ミリモル／ｍ２の量で存在する、上記（１）項に記載の方法。
（２２）  前記遷移金属化合物が更に少なくとも１個の配位子を有する、上記（１）項に記載の方法。
（２３）  前記少なくとも１個の配位子が、２，２′−ビピリジン、ジノニル２，２′−ビピリジン、オクチルアミン、エチレンジアミン、ジエチレントリアミン、テトラメチルエチレンジアミン、ペンタメチルジエチレントリアミン、トリス（ジメチルアミノエチル）アミン、フェナントロリン、アルキルピリジルメタンイミン、又はトリフェニルホスフィンである、上記（２２）項に記載の方法。
（２４）  前記少なくとも１個の配位子が、２，２′−ビピリジン又はジノニル２，２′−ビピリジンである、上記（２２）項に記載の方法。
（２５）  前記少なくとも１つの有機ハロゲン化化合物と前記少なくとも１つの遷移金属化合物の反応の間に、この遷移金属化合物を還元することができる少なくとも１つの還元剤を更に含む、上記（１）項に記載の方法。
（２６）  前記反応を温度約２０℃〜約２００℃で行う、上記（１）項に記載の方法。
（２７）  上記（１）項に記載の方法で得られる、少なくとも１つの有機基が付着している粒子。
（２８）  上記（２）項に記載の方法で得られる、少なくとも１つの有機基が付着している粒子。
（２９）  上記（３）項に記載の方法で得られる、少なくとも１つの有機基が付着している粒子。
（３０）  上記（４）項に記載の方法で得られる、少なくとも１つの有機基が付着している粒子。
（３１）  上記（５）項に記載の方法で得られる、少なくとも１つの有機基が付着している粒子。
（３２）  上記（６）項に記載の方法で得られる、少なくとも１つの有機基が付着している粒子。
（３３）  上記（７）項に記載の方法で得られる、少なくとも１つの有機基が付着している粒子。
（３４）  上記（８）項に記載の方法で得られる、少なくとも１つの有機基が付着している粒子。
（３５）  上記（９）項に記載の方法で得られる、少なくとも１つの有機基が付着している粒子。
（３６）  上記（１０）項に記載の方法で得られる、少なくとも１つの有機基が付着している粒子。
（３７）  上記（１１）項に記載の方法で得られる、少なくとも１つの有機基が付着している粒子。
（３８）  上記（１２）項に記載の方法で得られる、少なくとも１つの有機基が付着している粒子。
（３９）  上記（１３）項に記載の方法で得られる、少なくとも１つの有機基が付着している粒子。
（４０）  上記（１４）項に記載の方法で得られる、少なくとも１つの有機基が付着している粒子。
（４１）  上記（１５）項に記載の方法で得られる、少なくとも１つの有機基が付着している粒子。
（４２）  上記（１６）項に記載の方法で得られる、少なくとも１つの有機基が付着している粒子。
（４３）  上記（１７）項に記載の方法で得られる、少なくとも１つの有機基が付着している粒子。
（４４）  前記有機ハロゲン化化合物が式ＲＳＯ２Ｘを有する、上記（１６）項に記載の方法。